(57)【要約】【課題】タグの電池の消耗を抑えることができる解錠システムを提供すること。【解決手段】このシステム１は、タグ１０と、室外側の扉付近の人の存在の有無を検出する人感センサ２０と、人感センサ２０より人の存在が検出されたときタグ１０と交信してＩＤ照合し、ＩＤが一致した場合に解錠を有効とし、その後の一定時間、人感センサ２０より人の存在が検出されないときには、タグ１０への交信を規制する通信制御装置とを具備する。【選択図】図３
2015190231.tif 000002
【特許請求の範囲】
【請求項１】
タグと、
室外側の扉付近の人の存在の有無を検出する人感センサと、
前記人感センサより人の存在が検出されたとき前記タグと交信してＩＤ照合し、ＩＤ一致の場合に解錠を有効とし、その後の一定時間、前記人感センサより人の存在が検出されないときには、解錠を無効とし、前記タグへの交信を規制する通信制御装置と
を具備する解錠システム。
【請求項２】
請求項１に記載の解錠システムであって、
前記タグは、当該タグの振動の有無を検出する振動センサと、前記振動センサにより振動が無いことが検出されたときに、スリープ状態となる
解錠システム。
【発明の詳細な説明】
【技術分野】
【０００１】
本発明は、解錠システムに関する。
【背景技術】
【０００２】
タグを携帯して、アンテナに近づくだけで例えばマンションの共用エントランスや各住戸玄関を施解錠するシステムが知られている。このシステムでは、キーを取り出す必要がないので、キーを意識せずに入退出ができる（非特許文献１参照）。
【０００３】
このシステムでは、例えば施解錠を制御するリーダ／ライタ（通信制御装置）がタグと交信してＩＤ照合し、ＩＤ一致の場合に解錠を有効とする。
【０００４】
特許文献１には、このようなＩＤ交信を前提に、室内外に人感センサを配置し、タグを所有する人の屋外から屋内への移動を判定する技術が開示されている。この技術では、このタグを所有する人が屋内にいる場合に、リーダ／ライタからの質問信号にタグから応答信号を返信しないようにタグに要求することで、屋外にいると誤検出されたことに起因して電気錠が誤って解錠されるのを防ぐことができる。
【先行技術文献】
【特許文献】
【０００５】
【特許文献１】特開２０１１−１０８０３７号公報
【非特許文献】
【０００６】
【非特許文献１】http://www.miwa-lock.co.jp/tec/products/smartkey.html
【発明の概要】
【発明が解決しようとする課題】
【０００７】
しかしながら、特許文献１に開示された技術では、例えば屋内の玄関付近の下駄箱の上にタグが置かれた場合には、リーダ／ライタからの質問信号にタグからは応答信号を返信しないが、リーダ／ライタからの質問信号に対してタグでは所定の処理が実行されることから、電池が消耗するという問題がある。
以上のような事情に鑑み、本発明の目的は、タグの電池の消耗を抑えることができる解錠システムを提供することにある。
【課題を解決するための手段】
【０００８】
上記目的を達成するため、本発明の一形態に係る解錠システムは、タグと、室外側の扉付近の人の存在の有無を検出する人感センサと、前記人感センサより人の存在が検出されたとき前記タグと交信してＩＤ照合し、ＩＤ一致の場合に解錠を有効とし、その後の一定時間、前記人感センサより人の存在が検出されないときには、解錠を無効とし、前記タグへの交信を規制する通信制御装置とを具備する。
【０００９】
本発明の一形態に係る解錠システムでは、前記タグは、当該タグの振動の有無を検出する振動センサと、前記振動センサにより振動が無いことが検出されたときに、スリープ状態となるように構成してもよい。
【発明の効果】
【００１０】
本発明によれば、解錠有効後の一定時間人感センサより人の存在が検出されないときにはタグへの交信を規制することで、タグの電池の消耗を抑えることができる。
【００１１】
また、本発明によれば、タグにスリープモードを設けることで、タグへの交信を規制しているときに、人感センサによって誤った検出がされても、タグが交信に反応せず、従ってタグの電池の消耗を抑えることができる。
【図面の簡単な説明】
【００１２】
【図１】本発明の一実施形態に係る電気錠システムの構成を示す図である。
【図２】本発明の一実施形態に係る電気錠システムにおける動作説明図である。
【図３】本発明の一実施形態に係る電気錠システムにおける通信制御装置の動作を説明するためのフローチャートである。
【発明を実施するための形態】
【００１３】
以下、図面を参照しながら、本発明の実施形態を説明する。
図１は、本発明の一実施形態に係る電気錠システムの構成を示す図であり、この電気錠システムは、本発明の解錠システムを適用したものである。
【００１４】
図１に示すように、電気錠システム１は、タグ１０と、人感センサ２０と、施解錠を制御するリーダ／ライタ（Ｒ／Ｗ）呼ばれる通信制御装置３０と、電気錠制御装置４０とを有する。
【００１５】
タグ１０は、質問信号としてのＬＦ（電磁波：近接）を受信し、応答信号としてのＨＦ（電波：近距離（＞近接））を送信するためのアンテナ１１及び送受信回路部１２と、送受信回路部１２を制御する制御部１３と、制御部１３などに電源を供給する電池１４と、当該タグ１０の振動の有無を検出する振動センサ１５とを備える。制御部１３は固有の識別符号（ＩＤ）を内蔵メモリ（図示しない）に記憶している。
【００１６】
人感センサ２０は、室外側の扉付近の人の存在の有無を検出する。人感センサ２０は、焦電センサ、光センサ、超音波センサ、ステレオカメラ、ミリ波レーダなどによっても構成することができる。人感センサ２０の検出範囲は、ＨＦ（電波）の交信範囲よりも広い。
【００１７】
通信制御部３０は、ＬＦ（電磁波）を送信し、ＨＦ（電波）を受信するためのアンテナ３１及び送受信回路部３２と、送受信回路部３２及び電気錠制御装置４０を制御する制御部３３と、制御部３３や人感センサ２０などに電源を供給する電源部３４、３５と、解錠ボタン３６とを有する。制御部３３はタグ１０に割り当てられている識別符号（ＩＤ）を内蔵メモリ（図示しない）に記憶している。なお、電源部３４、３５は電池であってもよいし、商用交流電源から供給される交流電源を直流電源に変換する電源回路であってもよい。
【００１８】
ここで、図２に示すように、玄関扉５０の室外５１側に人感センサ２０及び通信制御装置３０が配置される。また、同図符号６１で示す領域は、人感センサ２０により人の検出が可能な範囲を示している。なお、この例では、室内５２側の玄関付近の下駄箱５３の上にタグ１０が置かれている。このタグ１０は、通信制御部３０より送信された質問信号としてのＬＦ（電磁波）を受信してしまう領域にある。
次に、このように構成された電気錠システム１の動作を説明する。
図３は、通信制御装置３０の動作を示すフォローチャートである。
【００１９】
通信制御装置３０は、後述するステップ３０８の状態から、人感センサ２０が人の存在を検出すると（ステップ３０１）、タグが連続して応答することができるタイムインターバル（Ｔ有）で質問信号を送信する（ステップ３０２）。
【００２０】
通信制御装置３０は、応答信号を受信するとその信号に含まれているＩＤが登録されているＩＤと一致するか照合し（ステップ３０３）、一致した場合には、一定時間（その後の一定時間（Ｔ解））解錠ボタン３６を有効にする（ステップ３０４）。一定時間内に解錠ボタン３６が押されると、電気錠が解錠され、玄関扉５０を開扉できるようになる。
【００２１】
この後、通信制御装置３０は、玄関扉５０を開扉され（ステップ３０５）、人感センサ２０より人の存在が検出されない（ステップ３０６）ときには、登録されたＩＤのタグ１０を持つ人が室外５１から室内５２に入り、すでに室外５１にはいないものとみなして、解錠ボタン３６を無効とし（ステップ３０７）、タグが連続して応答することができないタイムインターバル（Ｔ無）で質問信号を送信する状態（ステップ３０８）となる。
【００２２】
タグ１０は、人をこのタグをもって移動すると、振動センサ１５が働き、一定時間（Ｔ振）タグ１０の制御部１３を動作可能にする。タグ１０は、制御部１３が動作可能状態で、通信制御装置３０より質問信号を受信すると応答信号を送信する。
【００２３】
そして、この応答信号の送信を行った時点で、一定時間が経過していれば、制御部１３はスリープ状態となり、質問信号を受信しない。これにより電池１４の消耗を抑えることができる。一方、この応答信号の送信を行った時点で、一定時間が経過していなければ、質問信号を受信できる状態が続き、この状態で質問信号のないまま一定時間が経過した時点でスリープ状態となり、質問信号を受信しない。これにより電池１４の消耗を抑えることができる。
【００２４】
つまり、各タイムインターバルが（Ｔ有）＜（Ｔ振）＜（Ｔ無）＜（Ｔ解）とし、この条件のもとでタグ１０をスリープ状態となるようにしているので、図２に示したように、室内５２側の玄関付近の下駄箱５３の上にタグ１０が置かれている場合には、このタグ１０はスリープ状態となり、例えば玄関扉５０の室外側近傍を猫が横切って人感センサ２０が人として誤って検出したようなシチュエーションであっても、タグ１０はスリープ状態であるので、タグ１０の電池１４の消耗を抑えることができる。
【００２５】
また、このシステム１では、人感センサ２０が扉外側の人の存在を検出し、かつ、ＩＤ照合一致を条件として、解錠ボタン３６の解錠を有効としているので、室内でタグ１０が応答しても室外に人がいなければ解錠ボタン３６が有効にならないので、安全性が担保される。
【００２６】
以上、玄関扉の出入口周辺を対象領域とし、対象領域内にタグを持った人の存在が検知されたときに電気錠を解錠する電気錠システムに本発明の技術思想を適用した実施形態について説明したが、、本発明は電気錠システム以外のシステム、例えば、セキュリティシステムなどにも利用可能である。
【符号の説明】
【００２７】
１  電気錠システム
１０  タグ
１５  振動センサ
２０  人感センサ
３０  通信制御装置
４０  電気錠制御装置
【図１】
2015190231.tif 000003
【図２】
2015190231.tif 000004
【図３】
2015190231.tif 000005